(57)【要約】【課題】構成品点数を削減して装置全体の小型化、省スペース化をはかり、製造コスト及び設置コストを低減し、かつ信号伝送損失を低減する。【解決手段】平面アンテナ１００  の電波送受波面の裏面側に信号処理部装着部を形成し、この部分に信号処理部２００  を装着した、平面アンテナ・信号処理部一体構造とする。平面アンテナ１００  を金属製とし、その電波送受側の面に、複数のフィン状の導波路側壁１１１  を形成し、これら複数の導波路側壁１１１  に挟まれた部分を放射導波路１１２  とする。これら複数の導波路側壁１１１  が、信号処理部２００  に対する放熱フィンを兼ねるので、信号処理部２００  の温度上昇を抑えて、専用の放熱板がなくても、安定した処理動作が得られる。【選択図】        図１
2005020525.tif 000002
【特許請求の範囲】
【請求項１】
平面アンテナと、この平面アンテナを通して送受信される信号に対し予め定められた信号処理を行う信号処理部と、を含む無線伝送装置であって、前記平面アンテナの、電波送受波面の裏面側に直接、前記信号処理部を装着して、平面アンテナ・信号処理部一体構造としたことを特徴とする無線伝送装置。
【請求項２】
前記信号処理部が、平板状の基板と、この基板の一方の面に搭載、形成された信号処理回路と、を含んで成り、前記平面アンテナの、電波送受波面の裏面側に、前記基板を、その信号処理回路搭載側の逆側の面を向い合せて装着した構造である、請求項１記載の無線伝送装置。
【請求項３】
前記平面アンテナは、電波送受波側の面に、互いに平行配置されてフィン状を成す複数の導波路側壁が形成され、これら複数の導波路側壁に挟まれた部分を放射導波路とする金属製のアンテナベース部と、このアンテナベース部の電波送受波側の面に取り付けられて、その各放射導波路の開口部分に複数スロットが形成されたスロット板と、を有するスロットアレイアンテナ構造であり、前記複数の導波路側壁が、前記信号処理部に対する放熱フィンを兼ねる構造である、請求項１又は請求項２記載の無線伝送装置。
【発明の詳細な説明】
【０００１】
【発明の属する技術分野】
本発明は無線伝送装置に関し、特に平面アンテナ及び信号処理部を含み、マイクロ波帯、ミリ波帯の伝送に適した構成の無線伝送装置に属する。
【０００２】
【従来の技術】
従来の、この種の無線伝送装置は、アンテナ部分は屋外に設置し、信号処理部は室内に配設するのが一般的である。このような無線伝送装置では、屋外に、アンテナ本体が外筺及びレドーム内に納められて設置され、屋内（室内）には、アンテナで送受信される信号に対し、増幅や周波数変換、変復調などの信号処理を行う信号処理部が配設されて、これらアンテナ・信号処理部間の信号はケーブルで伝送される。またアンテナとしては、パラボラ型や平面アンテナなどが用いられる。
【０００３】
このような従来の無線伝送装置の一例として、平面アンテナを用いた場合の極めて一般的な例を図２に示す。
まず、屋外に設置されるアンテナ部分は、平面アンテナ１００ｘが外筺・レドーム１５０ｘ内に収納されて保持されており、この平面アンテナ１００ｘには、誘電体基板上に薄膜導体を配置したマイクロストリップアンテナが用いられている。
【０００４】
これに対し屋内に配設される信号処理部分は、外筺付きの信号処理部（変復調器除く）２００ｘが、複数の放熱フィン２５１ｘを備えた放熱板２５０ｘに取付られており、この信号処理部２００ｘで発生する熱を放熱板２５０ｘで下げる構造となっている。
【０００５】
そして、平面アンテナ１００ｘと信号処理部２００ｘとの間は、それぞれに近接配置された送受信機３１０，変復調器３２０を介して、ケーブル３５０で接続された構成となっている（例えば、非特許文献１参照）。
【０００６】
【非特許文献１】
白水哲也，外５名「ワイヤレスＩＰアクセスシステム（ステップ１）の開発」，２００２年電子情報通信学会通信ソサイエティ大会  論文
【０００７】
【発明が解決しようとする課題】
上述した従来の無線伝送装置は、屋外に平面アンテナ１００ｘを含むアンテナ部分、屋内（室内）には信号処理部２００ｘが配設されてこれら平面アンテナ・信号処理部間が、送受信機３１０，変復調器３２０を介してケーブル３５０で接続され、信号処理部２００ｘには、その発熱を抑える放熱板２５０ｘが設けられた構成、構造となっているので、構成品の点数が多くなって装置全体が大がかりになり、製造コスト及び設置コストが増大する上、設置スペースも広くなる、という問題点があり、また、平面アンテナ１００ｘが、誘電体基板上に薄膜導体を配置したマイクロストリップアンテナ型である上、アンテナ・信号処理部間には送受信機３１０，変復調器３２０及びケーブル３５０が介在するため、伝送される信号の損失が大きくなる、という問題点がある。
【０００８】
本発明の目的は、上記従来技術の問題点に鑑みて、構成品点数を削減して装置全体を小型化、省スペース化し、製造コスト及び設置コストの低減をはかり、かつ、信号伝送損失の低減をはかることができる無線伝送装置を提供することにある。
【０００９】
【課題を解決するための手段】
本発明の無線伝送装置は、
平面アンテナと、この平面アンテナを通して送受信される信号に対し予め定められた信号処理を行う信号処理部と、を含む無線伝送装置であって、前記平面アンテナの、電波送受波面の裏面側に直接、前記信号処理部を装着して、平面アンテナ・信号処理部一体構造としたことを特徴とする。
【００１０】
また、前記信号処理部が、平板状の基板と、この基板の一方の面に搭載、形成された信号処理回路と、を含んで成り、前記平面アンテナの、電波送受波面の裏面側に、前記基板を、その信号処理回路搭載側の逆側の面を向い合せて装着した構造である、構成を有している。
【００１１】
また、前記平面アンテナは、電波送受波側の面に、互いに平行配置されてフィン状を成す複数の導波路側壁が形成され、これら複数の導波路側壁に挟まれた部分を放射導波路とする金属製のアンテナベース部と、このアンテナベース部の電波送受波側の面に取り付けられて、その各放射導波路の開口部分に複数スロットが形成されたスロット板と、を有するスロットアレイアンテナ構造であり、前記複数の導波路側壁が、前記信号処理部に対する放熱フィンを兼ねる構造である、構成を有している。
【００１２】
【発明の実施の形態】
本発明の一実施の形態は、平面アンテナと、この平面アンテナを通して送受信される信号に対し予め定められた信号処理を行う信号処理部と、を含む無線伝送装置であって、上記平面アンテナの、電波送受波面の裏面側に直接、上記信号処理部を装着して、平面アンテナ・信号処理部一体構造とし、
上記信号処理部が、平板状の基板と、この基板の一方の面に搭載、形成された信号処理回路と、を含んで成り、上記平面アンテナの、電波送受波面の裏面側に、上記基板を、その信号処理回路搭載側の逆側の面を向い合せて装着した構造であり、
上記平面アンテナは、電波送受波側の面に、互いに平行配置されてフィン状を成す複数の導波路側壁が形成され、これら複数の導波路側壁に挟まれた部分を放射導波路とする金属製のアンテナベース部と、このアンテナベース部の電波送受波側の面に取り付けられて、その各放射導波路の開口部分に複数スロットが形成されたスロット板と、を有するスロットアレイアンテナ構造であり、上記複数の導波路側壁が、上記信号処理部に対する放熱フィンを兼ねる構造である、構成を有している。
【００１３】
このような構成、構造とすることにより、アンテナ・信号処理部間には、従来、これらに近接して別途配置されていた送受信機、変復調器やケーブルはなくなり、アンテナ及び信号処理部が一体構造となっているので、構成品点数を削減して装置全体を小型化することができると同時に、省スペース化をはかることができて、製品コストの低減及び設置コストの低減をはかることができ、しかも一体構造に加えて、アンテナはロスの少ない導波管アンテナであるので、伝送される信号の損失を少なくすることができる、という効果がある。
【００１４】
また、平面アンテナはその複数の導波路側壁が放熱フィンをも兼ねるので、小型化、省スペース化したとしても、この導波路側壁により、信号処理部の、発熱による温度上昇を抑えることができて、その動作を安定に保つことができる。
【００１５】
【実施例】
次に、本発明の実施例について図面を参照して説明する。
図１（ａ），（ｂ）は本発明の一実施例を示す、平面アンテナ部分の分解斜視図、及び平面アンテナへの信号処理部装着前の斜視図である。
この実施例の無線伝送装置は、平面アンテナ１００と、この平面アンテナ１００を通して送受信される信号に対し予め定められた信号処理を行う信号処理部２００と、を含んで構成されて、平面アンテナ１００の、電波送受波面の裏側の面に直接、信号処理部２００を装着した、平面アンテナ・信号処理部一体構造となっており、その詳細は次のとおりである。
【００１６】
まず、平面アンテナ１００は、電波送受波側の面に、互いに平行配置されてフィン状を成す複数の導波路側壁１１１が形成されて、これら複数の導波路側壁に挟まれた部分を放射導波路１１２とし、電波送受波側とは逆側の面（裏面側）に、周囲を装着部側壁１１５とする箱型の信号処理部装着部１１４が形成された金属製のアンテナベース部１１０と、このアンテナベース部１１０の電波送受波側の面に、複数の止めねじ１３０により取り付けられて、その各放射導波路１１２の開口部分に複数のスロット１２１が形成されたスロット板と、を有するスロットアレイアンテナ構造となっている。
【００１７】
次に信号処理部２００は、平板状の基板２１０と、この基板２１０の一方の面に搭載、形成された信号処理回路２２０と、を含んで成り、平面アンテナ１００の電波送受波面裏面側の信号処理部装着部１１４に、基板２１０部分が、その信号処理回路搭載側とは逆側の面をアンテナ（１００）と向い合わせるようにして直接、ねじ止め（図示省略）、装着される。なお、平面アンテナ１００・信号処理部２００間の電気的結合は導波管により接続される（図示省略）。
【００１８】
そして、一体化された平面アンテナ１００及び信号処理部２００は、外筐及びレドーム内に収納されて（図示省略）、屋外に設置される。なお、この外筐、レドームを含む全体の寸法は、周波数２６ＧＨｚ帯で１８０（Ｗ）×１８０（Ｈ）×６０（Ｄ）（単位ｍｍ）程度に小型化される。
【００１９】
この実施例においては、平面アンテナ１００の裏面側（電波送受波側とは逆側）に直接、信号処理部２００が装着された平面アンテナ・信号処理部一体構造であり、これらの間には導波管で電気的に接続されているので、従来例のように別配置される回路やケーブルは不要となり、また、平面アンテナ１００の複数の導波路側壁１１１が信号処理部２００に対する放熱フィンを兼ねるので、従来例の放熱板も不要となり、構成品点数を削減して装置全体を小型化することができると同時に、省スペース化をはかることができ、製品コストを低減し、かつ設置コストを低減することができる。
【００２０】
また、平面アンテナ・信号処理部間は短い導波管で直結され、しかも、平面アンテナはロスの少ない導波管アンテナであるので、伝送される信号の損失を少なくすることができ、更に、信号処理部専用の放熱板を設けなくても、平面アンテナ１００の導波路側壁１１１により、信号処理部２００の温度上昇が抑えられるので、その動作を安定化させることができる。
【００２１】
【発明の効果】
以上説明したように本発明は、平面アンテナの電波送受波面の裏面側に直接、信号処理部を装着した、平面アンテナ・信号処理部一体構造の構成とすることにより、平面アンテナ・信号処理部間に、従来必要としていた別配置の送受信機、変復調器やケーブルが不要となって構成品点数が削減され、装置全体を小型化、省スペース化することができて製品コスト及び設置コストを低減することができると同時に、伝送される信号の損失を少なくすることができ、また、平面アンテナをフィン状の、複数の導波路側壁で挟まれた部分を放射導波路とする構造の金属製アンテナとすることにより、アンテナ自身の損失を少なくして更に伝送される信号の損失を少なくすることができると同時に、導波路側壁が放熱フィンを兼ねるので、信号処理部専用に放熱板を設けることなく信号処理部の温度上昇を抑えることができて、小型化、省スペース化をはかりつつ、安定、かつ良好な信号処理動作を得ることができる、という効果がある。
【図面の簡単な説明】
【図１】本発明の一実施例を示す、平面アンテナ部分の分解斜視図、及び平面アンテナへの信号処理部装着前の斜視図である。
【図２】従来の無線伝送装置の一例を示す、平面アンテナ及び信号処理部、並びにその周辺部分の構成品を含む、屋外、屋内配設状態の斜視図である。
【符号の説明】
１００，１００ｘ  平面アンテナ
１１０  アンテナベース部
１１１  導波路側壁
１１２  放射導波路
１１４  信号処理部装着部
１１５  装着部側壁
１２０  スロット板
１２１  スロット
１３０  止めねじ
１５０ｘ  外筐・レドーム
２００  信号処理部
２００ｘ  信号処理部（変復調器除く、外筐付き）
２１０  基板
２２０  信号処理回路
２５０ｘ  放熱板
２５１ｘ  放熱フィン
３１０  送受信機
３２０  変復調器
３５０  ケーブル
【図１】
2005020525.tif 000003
【図２】
2005020525.tif 000004